(57)【特許請求の範囲】
【請求項１】
筒形のハウジング内に軸長方向への摺動自在に支持され、該ハウジングの両側への突出端の夫々に、各別の継手部材を介して左右の操向車輪に連なるタイロッドを連結してあるラック軸を備え、該ラック軸を舵輪の操作に応じて摺動せしめて前記操向車輪の向きを変える構成としたラックピニオン式の舵取り装置において、前記ラック軸の前記継手部材の取り付け側に、該継手部材の端面にその一端を当接させて外嵌保持され、前記ラック軸が摺動するとき、前記ハウジング内に進入する側にて、該ハウジングの一部にその他端を弾接させて縮短し、前記ラック軸に、前記進入の向きと逆向きの弾性力を付与する弾性体を具備することを特徴とする舵取り装置。
【請求項２】
前記ラック軸は、前記継手部材の取り付け側に他部よりも小径の保持部を備え、前記弾性体は、前記保持部に外嵌され、前記他部との間の段部と継手部材の端面との間にて所定の予圧を与えて保持されたコイルばねとしてある請求項１記載の舵取り装置。
【請求項３】
前記保持部の前記継手部材の取り付け端近傍に、該保持部よりも小径の係合部を形成し、前記コイルばねは、前記一端側に他部よりも巻き径を小とした座部を備え、該座部を前記係合部に嵌め合わせて固定してある請求項２記載の舵取り装置。
【発明の詳細な説明】
【０００１】
【発明の属する技術分野】
本発明は、ラックピニオン式の舵取り装置に関し、更に詳述すれば、舵取りのために軸長方向に摺動するラック軸に、転舵状態から直進状態への復元のための復元力を付与する構成に関する。
【０００２】
【従来の技術】
自動車用の舵取り装置の一形式として、車体の左右方向に延設され、その両端を左右の操向車輪（一般的には前輪）に連結されたラック軸と、該ラック軸の中途部に噛合され、舵輪（ステアリングホィール）に連動連結されたピニオンとを備えたラックピニオン式の舵取り装置がある。
【０００３】
前記ラック軸は、車体の左右方向に延設された筒形のハウジング内に軸長方向への摺動自在に支持され、該ハウジングの両側への突出端を左右の操向車輪に各別のリンク部材（タイロッド）を介して連繋させて、舵輪の操作に伴う前記ピニオンの回動に応じて摺動せしめ、この摺動を左右の操向車輪に伝え、これらの向きを変える構成となっている。前記タイロッドは、玉継手（ボールジョイント）等の継手部材を用いて前記ラック軸の端部に連結されており、ラック軸の摺動に伴って軸心に沿って直線運動をなす前記端部と、一軸回りの揺動により向きを変える操向車輪との間での力伝達が行えるようにしている。
【０００４】
さて、自動車の舵取り機構は、一般的に、舵取りのための舵輪操作によってその向きを変えた操向車輪を、路面からの反力の作用により直進状態へ復元させる手段を備えており、走行中に舵輪から手を放すことにより前記操向車輪が直進状態に戻るようになしてある。このような復元は、操向車輪を含む舵取り機構の各部材が平面視において適正な位置関係を保って配置することにより良好に実現されるが、舵取り機構が配設される車両の前部には、一般的に、エンジン、変速機等、駆動系の構成部材も配設されることから、前述した適正な配置を実現することは難しい。
【０００５】
また一方、近年の自動車には、舵取りのための舵輪の操作に要する労力負担を軽減して快適な操舵感覚を得るべく、動力舵取装置（パワーステアリング装置）が広く装備されている。これは、舵取り機構中に配した操舵補助用のアクチュエータが舵輪操作に応じて発生する力により舵取りを補助する構成としたものであり、前記アクチュエータとして、油圧シリンダ等の油圧アクチュエータを用いる油圧式、同じく電動モータを用いる電動式とに大別される。
【０００６】
前述したラックピニオン式の舵取り装置において油圧式の動力舵取装置を構成する場合、ラック軸のハウジングの中途部を液密に封止してなるシリンダ室内にラック軸に固設されたピストンを配し、これらにより操舵補助用の油圧シリンダを形成している。ところが、このようにした場合、シリンダ室の両側にて液密を保つためのシール部材がラック軸の周面に弾接し、これらがラック軸の摺動に対する抵抗として作用し、この摺動を伴って前述した如くに生じる直進状態への復元動作が阻害されるという不都合がある。
【０００７】
このような事情により従来から、ばね等の弾性体を利用して直進状態への復元を補助する種々の構成が提案されている。復元補助のための弾性力は、復元を阻害する部材に直接的に付与するのが合理的であり、ラックピニオン式の舵取り装置においては、実開昭５７−１５９５７７号公報等に開示されている如く、前記弾性力をラック軸に付与する構成が採用されている。
【０００８】
この舵取り装置は、図６に示す如く、ラック軸１を収納する筒形のハウジング２の両側（片側のみ図示）の開口部２０にコイルばねＢを組み付けた構成となっている。この構成によれば、図中に白抜矢符にて示す向きにラック軸１が摺動するとき、ハウジング２内への進入側において、該ラック軸１の一部、具体的には、タイロッド４の連結のための玉継手５の端面が、座金Ｂ′を介して前記コイルばねＢの他端に弾接し、これが縮短せしめられた状態となり、この状態にて舵取りのための舵輪操作が解除されたとき、前記コイルばねＢのばね力により前記ラック軸１が逆向きに押圧され、直進状態への復元が補助されることとなる。
【０００９】
【発明が解決しようとする課題】
ところが、以上の如き従来の構成においては、ハウジング２の開口部２０に組み付けられたコイルばねＢがラック軸１の外側を囲う態様に配設されており、ラック軸１は、舵取りのために左右両方向に生じる摺動長さの略全範囲に亘ってコイルばねＢの内側を移動することになり、この移動に伴ってコイルばねＢとの接触することが避けられず、この接触に伴う疵が、前記ラック軸１の外周に広範囲に亘って形成される虞れがある。
【００１０】
このような疵が形成された場合、図６に示す如く、油圧式の動力舵取装置となすべくハウジング２の内部に操舵補助用の油圧シリンダＳを備える構成においては、該油圧シリンダＳの一側を封止するシール部材６に疵を生じたラック軸１が摺接し、シール部材６が損傷して、シール作用が損なわれるという不都合を招来する。
【００１１】
また一方、図６の逆側においては、舵輪の操作に伴って回動するピニオンに噛合させるべくラック軸１に形成されたラック歯が損傷し、前記ピニオンとの噛合状態が悪化して、ラック軸１の摺動、及びこれに応じた舵取り動作が滑らかに行われなくなるという不都合がある。
【００１２】
本発明は斯かる事情に鑑みてなされたものであり、直進状態への復元を補助するための改良された補助手段を、ラック軸の外周における疵の形成範囲を限定された範囲に止め、操舵補助用の油圧シリンダのシール作用を損なわず、またラック歯の損傷を招来することなく構成することを目的とする。
【００１３】
【課題を解決するための手段】
本発明に係る舵取り装置は、筒形のハウジング内に軸長方向への摺動自在に支持され、該ハウジングの両側への突出端の夫々に、各別の継手部材を介して左右の操向車輪に連なるタイロッドを連結してあるラック軸を備え、該ラック軸を舵輪の操作に応じて摺動せしめて前記操向車輪の向きを変える構成としたラックピニオン式の舵取り装置において、前記ラック軸の前記継手部材の取り付け側に、該継手部材の端面にその一端を当接させて外嵌保持され、前記ラック軸が摺動するとき、前記ハウジング内に進入する側にて、該ハウジングの一部にその他端を弾接させて縮短し、前記ラック軸に、前記進入の向きと逆向きの弾性力を付与する弾性体を具備することを特徴とする。
【００１４】
本発明においては、タイロッドとの連結のための継手部材の取り付け側において、ラック軸に弾性部材を外嵌保持させ、舵取り操作に応じてラック軸が摺動するとき、前記弾性部材が、ハウジング内への進入側においてハウジングの端面と継手部材の端面との間にて押圧されて縮短し、摺動の向きと逆向きの弾性力が付与された状態となり、この状態にて舵取り操作が解除されたときには、前記弾性力の作用によりラック軸が押圧されて、該ラック軸の逆向きの摺動、即ち、直進状態への復元が補助される。以上の動作の間、前記弾性部材の内側には、該弾性部材の保持域近傍の限定された範囲が位置するのみであり、弾性部材との接触による疵もこの範囲内に生じ、ハウジング内に構成された操舵補助用の油圧シリンダのシール域、及びラック歯の形成域に及ばない。
【００１５】
更に加えて前記ラック軸は、前記継手部材の取り付け側に他部よりも小径の保持部を備え、前記弾性体は、前記保持部に外嵌され、前記他部との間の段部と継手部材の端面との間にて所定の予圧を与えて保持されたコイルばねとしてあること、また、前記保持部の前記継手部材の取り付け端近傍に、該保持部よりも小径の係合部を形成し、前記コイルばねは、前記一端側に他部よりも巻き径を小とした座部を備え、該座部を前記係合部に嵌め合わせて固定してあることを夫々特徴とする。
【００１６】
弾性部材をコイルばねとし、継手部材の取り付け側に形成された他部よりも小径の保持部に、この保持部と他部との間の段部と継手部材との間にて所定の予圧を与えて保持させ、前記コイルばねがハウジングの端面への弾接により縮短しない状態にあるとき、保持部上にてガタ付くことを防止する。また、コイルばねの一端側に他部よりも巻き径を小とした座部を設け、またラック軸側の保持部の継手部材の取り付け側に更に小径とした係合部を設け、該係合部に前記コイルばねの座部を嵌め合わせて固定する構成により、前記コイルばねの取り付けを継手部材の取り付けに先立って独立して行わせ得るようにし、組み立てが容易に行えるようにする。
【００１７】
【発明の実施の形態】
以下本発明をその実施の形態を示す図面に基づいて詳述する。図１は、本発明に係るラックピニオン式の舵取り装置の要部を示す一部破断正面図、図２は、他の要部を示す正面断面図である。
【００１８】
本発明に係る舵取り装置は、筒形をなすハウジング２の内部に軸長方向への摺動自在に支承されたラック軸１を備えている。ハウジング２の両側（図１及び図２に片側づつ図示）の開口部２０，２０から突出するラック軸１の両端部は、各別のタイロッド４，４を介して図示しない左右の操向車輪に夫々連繋させてある。
【００１９】
ラック軸１は、図１中に破線により示す如く、その一側端部の近傍に適長に亘って形成されたラック歯１０を備えており、該ラック歯１０は、ハウジング２の中途部に交叉するピニオンハウジング２１の内部に支承されたピニオン軸２２に一体形成されたピニオン（図示せず）に噛合させてある。ピニオン軸２２は、ピニオンハウジング２１の上部への突出端を図示しない舵輪に連結され、舵取りのための前記舵輪の操作に応じて回転するようになしてあり、この回転を前記ピニオンとラック歯１０との噛合によりラック軸１の摺動に変換し、この摺動を前記タイロッド４，４を介して左右の操向車輪に伝えて舵取りが行われる。
【００２０】
ピニオンハウジング２１の内部には、舵輪の操作に応じてピニオン軸２２に加わる操舵トルクに応じて油圧の給排制御を行う油圧制御弁が構成されており、該油圧制御弁からの送出油を、ピニオンハウジング２１の外側に連結された一対の送油管２３，２４を経てハウジング２の他側に形成された操舵補助用の油圧シリンダＳに送り、ラック軸１の摺動に応じて前述の如く行われる舵取りを補助する動力舵取装置が構成されている。
【００２１】
図２は、図１と反対側のハウジング２の端部近傍が示されている。前記油圧シリンダＳは、図２中にその一部を示す如く、ラック軸１の外周に弾接するシール部材（オイルシール）６をその内周に保持する一対のシール環６０，６０（片側のみ図示）をハウジング２に内嵌し、該ハウジング２の内部を適長に亘って区切って液密に封止されたシリンダ室を形成し、該シリンダ室の内部に、ラック軸１の中途に嵌着固定されたピストンＰを摺動自在に嵌挿して構成されている。前記送油管２３，２４（図２には一方の送油管２３のみ図示）は、前記油圧制御弁からの送出油を導入すべく、ピストンＰの両側に分離されたシリンダ室の両端部に夫々連結されている。
【００２２】
ラック軸１の端部と前記タイロッド４，４との連結には、玉継手５，５が用いられている。該玉継手５は、図１中にその一部を破断して示す如く、タイロッド４の基端に一体的に連設された球体５ａを、ラック軸１の軸端部に同軸的に螺合固定されたハウジング５ｂに抱持させてなり、該ハウジング５ｂ内での前記球体５ａの滑動により、ラック軸１に対するタイロッド４のあらゆる方向への傾倒を許容する公知の継手部材であり、タイロッド４によるラック軸１と操向車輪との連結を、両者の運動軌跡の相違を吸収して行えるようにしている。この連結部位は、ハウジング２の開口部２０の外周縁とタイロッド４の基端部側外周とに両端を嵌着させたベローズ４０により覆い、外部からの塵埃、水滴等の異物の侵入を防ぐようにしてある。
【００２３】
ラック軸１は、継手部材としての玉継手５の取り付け側に、他部よりも小径に加工された保持部１１を備えており、該保持部１１には、本発明の特徴たるコイルばね３が外嵌保持させてある。また前記保持部１１の玉継手５の取り付け側の端部近傍には、前記保持部１１よりも更に小径に加工された係合部１２が形成されており、前記コイルばね３は、該係合部１２にその一端を係合させ、玉継手５のハウジング５ｂの端面に前記一端側を、また他端側を、保持部１１と他部との境界となるラック軸１外周の段部の端面に夫々弾接せしめ、両者間にて所定の予圧を付与された状態に取り付けてある。
【００２４】
図３は、コイルばね３の前記段部との当接側の拡大断面図であり、同側のコイルばね３の端部には、薄肉のキャップ環３０が嵌め合わせてあり、前記段部との当接が該キャップ環３０を介して生じるようになしてある。図示の如くキャップ環３０は、コイルばね３との対向側に開口を有する「コ」の字形の断面形状を有し、その底辺の内側半部を前記段部に当接させてあり、該段部とコイルばね３との衝突を緩衝する緩衝体としての作用をなすと共に、一方の側辺により保持部１１の周面とコイルばね３との間に隙間を確保し、両者の直接的な接触を防ぐ作用をなすべく設けてある。前記衝突に伴う緩衝を有効に行わせると共に、コイルばね３の縮短に伴う保持部１１の外周に対する摺動を滑らかに行わせるため、前記キャップ環３０は、合成樹脂製とするのが望ましい。
【００２５】
図４は、コイルばね３の取り付け手順の説明図である。ラック軸１の端部には、前述した如く、他部よりも小径とされた保持部１１が形成され、該保持部１１の先端側に更に小径とされた係合部１２が形成されている。本図に示す如くコイルばね３は、前記キャップ環３０の装着側と逆側に、他部よりも巻き径を小とした略一巻き分の座部３ａを備えている。該コイルばね３の自然長Ｘは、ラック軸１側の保持部１１及び係合部１２の長さＹよりも長く、コイルばね３の座部３ａの内径は、前記係合部１２の外径よりもやや小さく設定されている。また前記保持部１１の外径は、コイルばね３の他端に装着されたキャップ環３０の内径よりもやや小さく設定されている。
【００２６】
コイルばね３は、図４（ａ）に示す如く、ラック軸１の端部に対して同軸的に位置決めされ、前記キャップ環３０の装着側を先として、該キャップ環３０を保持部１１に隙間嵌めさせつつラック軸１の端部に挿入し、キャップ環３０を保持部１１の基端側の段部に押し当てた後、座部３ａ側の押し込みを続け、該座部３ａを係合部１２に圧入せしめて、図４（ｂ）に示す如く取り付けられる。この状態においてコイルばね３は、前記段部に押し付けられたキャップ環３０と、係合部１２に圧入された座部３ａとの間にて、前記自然長Ｘよりも短いＹなる長さを有して拘束された状態となり、この後にラック軸１の端部に螺合固定される玉継手５の端面との間において予圧を付与された状態に保持される。
【００２７】
玉継手５の取り付けは、これのハウジング５ｂに同軸的に突設された雄ねじ部５０をラック軸１の端面の軸心部に形成された雌ねじ孔１３に螺合することにより実現されるが、この取り付けは、図４（ｂ）に示す如く、前記コイルばね３を拘束した後に容易に行える。また取り付け完了後のコイルばね３は、ラック軸１中途の段部と玉継手５の端面との間に予圧を付与された状態にあり、また前記段部との当接部に介装されたキャップ環３０により、保持部１１の外周との間に隙間が確保された状態にあるから、走行中の振動によるコイルばね３のガタ付きを抑えることができ、各部との衝突による異音の発生を抑制することができる。
【００２８】
図５は、本発明に係る舵取り装置の動作説明図である。なお本図においては、開口部２０を覆うベローズ４０の図示を省略してある。
【００２９】
本図及び図１に示す如く、ラック軸１が突設されたハウジング２の開口部２０には、玉継手５の進入が可能な大径の凹所２ａと、該凹所２ａの内奥側にコイルばね３の進入が可能な小径の凹所２ｂとが形成されている。直進状態を示す図５（ａ）において、ラック軸１の玉継手５の装着端は、ハウジング２の端部から離れた位置にあり、前記コイルばね３は、前述した取り付け状態を保っている。
【００３０】
舵取り操作がなされた場合、ラック軸１は、前述の如く軸長方向に摺動する。この摺動は、ハウジング２の一側においては、図５（ａ）中に矢符により示す如く、ハウジング２内に進入する向きに生じ、他側においては、ハウジング２から更に突出する向きに生じる。ハウジング２内へのラック軸１の進入は、前記凹所２ａの内部に玉継手５が入り込む範囲にて許容され、この摺動により前記コイルばね３は、凹所２ａの内奥側の凹所２ｂに入り込み、先端側に装着されたキャップ環３０が前記凹所２ｂの底面に弾接した後、更なる摺動に伴って、図５（ｂ）に示す如く縮短せしめられ、ラック軸１を、図中に白抜矢符にて示す如く、前記進入の向きと逆向きに押圧する。
【００３１】
この状態で前記舵取り操作が解除された場合、ラック軸１は、コイルばね３のばね力により、前記摺動の向きと逆向き、即ち、直進状態へ復元する向きに押圧され、この復元が補助される。なおコイルばね３先端のキャップ環３０は、凹所２ｂの底面への弾接時においても緩衝体としての作用をなす。
【００３２】
図５は、図１に示す側での動作を示しているが、これと逆側、即ち、図２に示す側においても同様の動作がなされ、コイルばね３の縮短により直進状態への復元が補助される。なお、図２に示す側のハウジング２は、前記油圧シリンダＳのシリンダ室を形成するため円形断面のパイプ材が用いられており、同側の開口部２０の内面を玉継手５の受け入れのための凹所２ａとして利用し、前記シール環６０よりも開口部２０側にストッパ環７を内嵌固定して、該ストッパ環７の軸心部にコイルばね３の受け入れのための凹所２ｂを形成している。
【００３３】
以上の如く本発明に係る舵取り装置においては、ラック軸１の端部に前述の如く装着されたコイルばね３が、大転舵時におけるラック軸１の摺動に伴って縮短せしめられ、この縮短に応じたばね力（弾性力）を発生してラック軸１の復元を補助する動作が行われるが、この動作の間、コイルばね３の内側には、ラック軸１の端部の限定された長さ範囲、具体的には、前記保持部１１が位置するのみであり、コイルばね１１との接触による疵もこの範囲内に限って生じるのみである。
【００３４】
この保持部１１は、図５（ｂ）に示す如くコイルばね３が最も縮短した状態となった時においても、ハウジング２の内側にわずかに入り込むに過ぎず、図２に示す如く、ハウジング２の一側開口部２０の近傍に設けられた操舵補助用の油圧シリンダＳの一側を封止するシール部材６が、前記疵の形成部位との摺接により損傷し、シール作用が損なわれる虞れはない。一方、図１に示す側においても、コイルばね３との接触による疵の形成範囲が保持部１１に限られ、ラック歯１０の形成域に及ばないことから、該ラック歯１０とピニオンとの噛合が良好に保たれる。
【００３５】
なお、以上の実施の形態において、コイルばね３と保持部１１との間には、コイルばね３の先端側に装着した合成樹脂製のキャップ環３０により隙間が確保され、両者の直接的な接触を防ぐ構成としてあるから、保持部１１における疵の発生も抑えることができる。
【００３６】
また以上の実施の形態においては、直進状態への復元のための弾性部材としてコイルばね３を用いたが、該コイルばね３に代えて、他のばね、又はゴム等の弾性体を用いてもよい。
【００３７】
【発明の効果】
以上詳述した如く本発明に係る舵取り装置においては、ラック軸が摺動したとき、該ラック軸の継手部材の取り付け側端部に外嵌保持させた弾性部材が、ハウジングと継手部材の端面との間にて押圧されて縮短し、前記摺動の向きと逆向きの弾性力を付与し、直進状態への復元を補助する構成であるから、前記弾性部材の内側には、該弾性部材の保持域近傍の限定された範囲が位置するのみであり、弾性部材との接触によるラック軸外周の疵もこの範囲内に生じ、ハウジング内に構成された操舵補助用の油圧シリンダのシール域、及びラック歯の形成域に及ばず、油圧シリンダのシール作用が損なわれず、またラック歯の損傷を招来する虞れもない。
【００３８】
また、復元補助のための弾性部材としてコイルばねを用い、ラック軸の端部近傍に設けた小径の保持部に外嵌し、該保持部の一側の段部と継手部材の端面との間にて所定の予圧を与えて保持させてあるから、非動作状態においてもガタ付くことがない。更に、保持部の継手部材の取り付け側を更に小径として係合部を設け、コイルばねを、その一端側の巻き径を小とした座部を前記係合部に嵌め合わせて固定する構成としたから、コイルばねの取り付けが独立して行え、組み立てが容易となる等、本発明は優れた効果を奏する。
【図面の簡単な説明】
【図１】本発明に係るラックピニオン式の舵取り装置の要部を示す一部破断正面図である。
【図２】本発明に係るラックピニオン式の舵取り装置の他の要部を示す正面断面図である。
【図３】コイルばねのラック軸の段部との当接側の拡大断面図である。
【図４】コイルばねの取り付け手順の説明図である。
【図５】本発明に係る舵取り装置の動作説明図である。
【図６】直進状態への復元手段を備えた従来のラックピニオン式舵取り装置の要部を示す正面断面図である。
【符号の説明】
１  ラック軸
２  ハウジング
３  コイルばね
３ａ  座部
４  タイロッド
５  玉継手
６  シール部材
１１  保持部
１２  係合部
３０  キャップ環
Ｓ  油圧シリンダ
【図１】
0003569816.tif 000002
【図２】
0003569816.tif 000003
【図３】
0003569816.tif 000004
【図４】
0003569816.tif 000005
【図５】
0003569816.tif 000006
【図６】
0003569816.tif 000007